(57)【要約】【課題】傘を差す時、握力の弱い女性、子供、お年寄りが長時間傘の柄を握り続ける事は大変であった。又閉じた傘を携行する際、荷物を持った時や買い物の時、その携行に煩わしさを感じる事が多かった。そこで本発明は、傘の柄をわずかな力で握り続ける事ができると同時に、傘を差さない時もその携行が煩わしくない傘を提供しようとするものである。【解決手段】傘の柄の下部にリール部１０を内蔵し、リール部１０から引き出した紐１２の先端を柄部１６の上部に取り付ける。傘を差す時は、柄部１６と紐１２の間に手を入れて握れば、手の上側と甲側に紐が添い安定するため、わずかな力で柄を握り続ける事ができる。傘を差さない時は、紐１２の下側を持ってリール部１０から紐を引き出せば、傘を肩に掛けて携行する事ができる。【選択図】図１
2012000423.tif 000002
【特許請求の範囲】
【請求項１】
傘の柄部（１６）の下部にリール部（１０）を内蔵し、リール部（１０）を完全に内蔵するための略半円状柄部（１８）を設け、柄部（１６）の側面にリール部（１０）から紐を引き出すための開口部（２２）を設け、そこから引き出した紐（１２）の先端部（１７）を柄部（１６）の上部に取り付けることにより、傘の柄の握り補助機能と、リール部（１０）からさらに紐を引き出すことで、傘を肩に掛けて携行できる機能とを兼ね備えた傘の柄。
【請求項２】
上記傘の柄のフック部（１５）を略半円状柄部（１８）の側面に添って収納し、フック部（１５）が柄部（１６）の底部に設けた穴から挿入された中心棒（２０）を支点として、反対側まで移動可能な構造を有した請求項１に記載の傘の柄。
【発明の詳細な説明】
【技術分野】
【０００１】  本発明は、閉じた状態での傘の携行と、傘の柄の握り補助に関するものである。
【背景技術】
【０００２】  傘を差す時、従来の柄の握り部はある程度の力で握り続けなければならないため、特に握力の弱い女性、子供、お年寄りが長時間傘の柄を握り続けた場合は、手が疲れて大変であった。【０００３】  このような問題を解決するため、柄の握り部の手の甲側に固定された枠を設けた特許文献１や、特許文献２が提案された。しかしながら手の大きさは人により異なるため、手の大きい人が枠の中に手を入れる事ができるように大きめの枠を設ける必要があり、その結果柄を握った時手の小さい人は枠の内側に手の甲を接する事ができず、人差し指の上側だけが枠に接する状態となり、長時間柄を握っていると枠に接している指が痛くなったり、指に枠のあとがついたりする恐れがあり万全なものとは言えない。【０００４】  傘は差さないときは手に持って歩くのが普通であるが、雨の降る前や降った後、荷物を持った時やショッピングの時などに、傘の携行を煩わしいと感じることが多かった。【０００５】  このような問題を解決するため、傘を肩に掛けて携行できるようにした特許文献３や特許文献４が提案された。
特許文献３は、傘の柄にリール部を設け、リールから出した紐を石突部に取り付けて使用するものである。
特許文献４は、傘の柄にリング状に繁束された弾性部材を伸張させて、石突部に取り付けて使用するものである。【０００６】  まず特許文献３は、リール部が柄の外側に設置してあるため柄を握る時邪魔になる上、傘が倒れたりした際、リール部が破損する恐れがある。又紐をリール部に収納する際、紐の先端の止め具が手に当たるなどして怪我をする恐れもある。
特許文献４はリング状に束ねた紐を伸ばして使用するため、まっすぐな紐にはならず、紐自体が伸び縮みすることで肩から紐が落ちやすい上に、歩く時傘が上下に動いて歩きにくい。又柄の外側に紐が束ねられているため、使用しない時は邪魔になり使い勝っての上で万全なものとは言えない。
【先行技術文献】
【特許文献】
【０００７】
【特許文献１】  実開平０７−４４６２７号公報
【特許文献２】  実用新案登録第３１５４７７５公報
【特許文献３】  特開２００５−１４４０６１公報
【特許文献４】  特開２００５−３４２７８公報
【発明の概要】
【発明が解決しようとする課題】
【０００８】  本発明はこのような背景に考慮して、その問題点をすべて解決し、傘を差す時は握力の小さい女性、子供、お年寄りでもわずかな力で柄を握り続ける事ができ、傘を差さない時はその携行が煩わしくない傘の柄の構造を提案するものである。
【課題を解決するための手段】
【０００９】  本発明にあっては上記課題を解決するため、傘の柄の下部に回転ストッパー付きのゼンマイバネ式リール部１０を内蔵し、リール部１０を完全に内蔵させるための略半円状柄部１８を設ける。内蔵したリール部１０から紐を引き出すための開口部２２を柄の側面に設け、そこから引き出した紐１２の先端部１７を柄部１６の上部に取り付ける。さらに柄部１６と紐１２の間に手が入る隙間ができる長さ分だけの紐をリール部１０から予め引き出しておく。この状態でリール部１０のストッパーを解除した時に紐１２が引き込まれて柄部１６と紐１２の間の隙間がなくならないように、紐引き込み防止ストッパー１３を開口部２２の上に移動させ止めておく。これにより図１に示される状態となる。尚紐１２の内側にはクッション材を取り付けておく。【００１０】  この状態で傘を差す時は、柄部１６と紐１２の間の隙間に手を入れて握れば、手の大きさ分だけの紐がリール部１０から引き出され、図２に示されるように手の上側と甲側に紐が添い柄を握った手が安定するため、強く柄を握り締めなくても、軽く柄を握るだけで傘を保持することができる。
閉じた状態の傘を携行する時は、紐１２の下側を持ってリール部１０から紐を引き出せば、図３に示されるように傘を肩に掛ける事ができ、傘を手で持ち歩く煩わしさをなくすことができる。【００１１】  紐を収納する際は、リール部１０のストッパー解除ボタン１４を押せば、瞬時に紐を巻き取る事ができ、この時紐引き込み防止ストッパー１３の位置で紐の巻き取りが止まり、柄部１６と紐１２の間の隙間がなくなることはないので、常に図１に示される状態で使用することができる。
【発明の効果】
【００１２】  本発明は、上述した手段により以下のような効果を奏するものである。
本発明の傘の柄を握った時、リール部１０からは手の大きさ分だけの紐が引き出されるため、紐１２が接する手の上側と甲側を包み込むように紐が添い、リール内部のゼンマイバネの引き込む力により紐が引っぱられ柄を握った手が安定するため、わずかな力で柄を握り続けることができる。又紐の内側にクッション材を設ける事で、長時間柄を握り続けた場合も、手が痛くなったり、紐のあとが付く事はない。【００１３】  傘を肩に掛ける時は、紐の先端部１７は柄部１６の上部に常に取り付けた状態であるため、紐１２の下側を持ってリール部１０から紐を引き出すだけで使用できる。又紐を収納する際もストッパー解除ボタン１４を押すだけで紐のみが瞬時にもとの位置に巻き取られるため、紐先端部の取り付け取り外しの手間もいらず、紐を巻き取る際に紐先端部の取り付具で手を怪我をする恐れもなく安全に使用できる。【００１４】  リール部を柄の下部に内蔵する事により、傘が倒れたりした場合もリールが破損したりする恐れもなく、柄を握った時もリールが邪魔になることはないので、非常に使い勝ってがよい。【００１５】  柄のフック部１５は、使用する時以外は邪魔にならないように、図１に示されるように略半円状柄部１８の側面に添った形で収納させてある。これにより柄全体を非常にコンパクトにすることができる。使用する際は、図４に示されるように、フック部１５を移動させて使用する。
【図面の簡単な説明】
【００１６】
【図１】  本発明の傘における柄部を示した正面図である。
【図２】  本発明の傘における柄部の使用状態を示した斜視図である。
【図３】  本発明の傘の使用状態を示した斜視図である。
【図４】  本発明の傘における柄のフック部の使用状態を示した正面図である。
【図５】  本発明の傘における柄のフック部を示した断面図である。
【図６】  本発明のリール部から引き出した紐を示した要部斜視図である。
【発明を実施するための形態】
【００１７】  以下、本発明を実施するための最良の形態について説明する。
図１に示されるように棒状柄部１６の下部は、リール部１０を内蔵させるため、リール部１０の円形状の形に合わせて略半円状の柄部１８と合わさって形成されている。これにより柄全体の形状は、略ｄの字形を呈している。
柄部１６の下部と略半円状柄部１８の内部にリール部１０の大きさに合わせた円形状の空洞を設け、その空洞にリール部１０を内蔵させる。
フック部１５は略半円状柄部１８の外側の縁に添った形にするため、同じく略半円状に形成した形状となっている。
【００１８】  リール部１０は紐を引き出した際、引き出した紐を段階的にストップさせるストッパーと、引き出した紐を瞬時に巻き取るためのゼンマイバネを有し、ストッパー解除ボタン１４は、柄部１８に設けた穴を通って外側に突出している。
【００１９】  柄部１６の下部は図２に示されるように、内蔵したリール部１０から紐を引き出せるように側面に開口部２２を設け、紐引き込み防止ストッパー１３は、開口部のすぐ上に位置できるように移動可能な形状となっている。
【００２０】  リール部１０から引き出した紐１２の内側にはクッション材を取り付け、紐１２の先端部１７は、柄部１６の上部にしっかりと固定できるように略Ｔ字形の形状に形成し、柄部１６の上部周りに接着材などを用いてしっかりと取り付ける。尚柄を握った手がより安定するように、紐１２の横幅をリール部１０に収納されている紐より広くしてもよい。
【００２１】  フック部１５を使用する際に移動可能な構造にするため、図４に示されるように、フック部１５に中心棒２０を設け、その中心棒の末端部に近い部分を内側に向けて直角に折り曲げる。さらにフック部１５を中心棒２０を支点として横方向に回転させ反対側に移動できるように、柄部１６の最下部の内部を略三角形状の空洞とし、柄部１６の底部にフック部１５の中心棒２０を挿入するための穴を設け、その穴から挿入した中心棒２０の末端部２１を球状に形成する。
フック部１５の先端部は図１に示されるように、柄部１６の側面に設けた凹部に入れ込んで収納させてある。又図５に示されるように、フック部１５の左右の側面は持ちやすいように凹形の形状に形成されている。使用する際は、フック部１０の凹部を持ち手前に引けば柄部１６からはずれ、その後中心棒２０を支点として横方向に回転させ反対側に移動させれば、図４に示されるように傘を掛けられる状態となる。
尚フック部１５の内側に磁石を取り付け、柄部１８の外側に金属板を取り付けて、フック部１５と、柄部１８を密着させて収納するようにしてもよい。
【００２２】  傘を肩に掛けて使用する際、紐が肩からすべり落ちにくくするため、図６に示されるように、肩に接する部分の紐の内側にごく薄いスベリ止めを設けている。これはスベリ止め材を格子状に形成した上で、線が交わる部分に半円球状の凸部を設けた形状のスベリ止めである。又傘を肩に掛けるためにリール部１０から紐を引き出す際、肩に掛けられる長さ分の紐を引き出す目安として、紐の内側と外側を何種類かの色で色分けしておく。
【００２３】  本発明は以上のような構造である。
これを使用する場合、傘を差す時は柄部１６と紐１２の間の隙間に手を入れて握れば、手の大きさ分だけの紐がリール部１０から引き出され、手の上側と甲側に紐が添い安定するため、わずかな力で柄を握り続けることができる。
閉じた状態の傘を携行する時は、紐１２の下側を持ってリール部１０から肩に掛けられる長さ分の紐を引き出せば、傘を肩に掛けて携行することができる。
【符号の説明】
【００２４】１０  リール部
１２  握り補助紐
１３  紐引き込み防止ストッパー
１４  リール部ストッパー解除ボタン
１５  フック部
１６  棒状柄部
１７  紐先端部
１８  略半円状柄部
１９  略三角形状空洞部
２０  フック部中心棒
２１  中心棒末端部
２２  開口部
【図１】
2012000423.tif 000003
【図２】
2012000423.tif 000004
【図３】
2012000423.tif 000005
【図４】
2012000423.tif 000006
【図５】
2012000423.tif 000007
【図６】
2012000423.tif 000008